(57)【要約】  複数のデジタルディスプレイデバイスに亘りデジタルコンテンツアイテムを表示する、編成された前記複数のデジタルディスプレイデバイスのためのシステムは、表示画面、メモリ、プロセッサ及びデータリンク機能をそれぞれが備える、複数のデジタルディスプレイデバイスと、表示画面、ユーザインタフェース、メモリ、プロセッサ及びデータリンク機能を備える、ユーザデバイスと、前記複数のデジタルディスプレイデバイス及び前記ユーザデバイスと接続される、クラウドベースのコンピューティングシステムと、を備える。
2020500380.tif 000002
【特許請求の範囲】
【請求項１】
複数のデジタルディスプレイデバイスに亘りデジタルコンテンツアイテムを表示する、編成された前記複数のデジタルディスプレイデバイスのためのシステムであって、
表示画面、メモリ、プロセッサ及びデータリンク機能をそれぞれが備える、複数のデジタルディスプレイデバイスと、
表示画面、ユーザインタフェース、メモリ、プロセッサ及びデータリンク機能を備える、ユーザデバイスと、
前記複数のデジタルディスプレイデバイス及び前記ユーザデバイスと接続される、クラウドベースのコンピューティングシステムと、
を備え、
１以上の前記複数のデジタルディスプレイデバイス、前記ユーザデバイス及び前記クラウドベースのコンピューティングシステムは、前記複数のデジタルディスプレイデバイスの各デジタルディスプレイデバイスの相対ジオメトリ及び相対位置を決定し、
ユーザにより前記ユーザデバイスにおける前記デジタルコンテンツアイテムの選択において、前記複数のデジタルディスプレイデバイスは、デジタルコンテンツアイテムを表すデータを受信し、前記複数のデジタルディスプレイデバイスの前記表示画面に前記デジタルコンテンツアイテムを表す同期表示を表示し、
前記デジタルコンテンツアイテムを表す前記同期表示は、前記デジタルコンテンツアイテムの連続表示の形態で前記複数のデジタルディスプレイデバイスに亘ってレンダリングされた前記デジタルコンテンツアイテムの表示であり、前記複数のデジタルディスプレイデバイス間の空間を構成し、デジタルディスプレイデバイスが位置している場所の前記デジタルコンテンツアイテムの前記連続表示の部分のみを表示する、
システム。
【請求項２】
前記デジタルディスプレイデバイス又は前記ユーザデバイスの前記データリンク機能は、Wi-Fi機能又は有線イーサネット機能である、請求項１に記載のシステム。
【請求項３】
前記デジタルディスプレイデバイスの前記表示画面は、LCDスクリーン、LEDスクリーン、OLEDスクリーン、QLEDスクリーン又はデジタルインクスクリーンである、請求項１に記載のシステム。
【請求項４】
前記ユーザインタフェースは、前記クラウドベースのコンピューティングシステム又は各デジタルディスプレイデバイスと接続し、前記複数のデジタルディスプレイデバイスの各デジタルディスプレイデバイスにキャリブレーションパターンを表示する、請求項１に記載のシステム。
【請求項５】
各デジタルディスプレイデバイスの前記相対位置、空間ギャップ距離又は向きは、前記キャリブレーションパターンを介して決定される、請求項４に記載のシステム。
【請求項６】
前記ユーザデバイスはさらに、カメラを備え、前記カメラは、前記複数のデジタルディスプレイデバイスの各デジタルディスプレイデバイスの１以上の画像を撮影し、前記クラウドベースのコンピューティングシステムに前記１以上の画像を送信する、請求項１に記載のシステム。
【請求項７】
前記クラウドベースのコンピューティングシステムは、前記複数のデジタルディスプレイデバイスの各デジタルディスプレイデバイスの前記１以上の画像に基づいて、前記複数のデジタルディスプレイデバイスの各デジタルディスプレイデバイスの識別、境界及び向きを決定する、請求項６に記載のシステム。
【請求項８】
前記デジタルコンテンツアイテムを表す前記データは、前記デジタルコンテンツアイテムの分割された部分のセットであり、前記クラウドベースのコンピューティングシステムは、関連するデジタルディスプレイデバイスのそれぞれの分割された部分を送信する、請求項１に記載のシステム。
【請求項９】
前記デジタルコンテンツアイテムを表す前記データは、前記デジタルコンテンツアイテムの分割されていない部分であり、各デジタルディスプレイデバイスの前記プロセッサは、前記関連するデジタルディスプレイデバイス上に表示される前記デジタルコンテンツアイテムの前記連続表示の前記部分に前記デジタルコンテンツアイテムの前記分割されていない部分をクロッピングする、請求項１に記載のシステム。
【請求項１０】
前記ユーザインタフェースを介して、実時間で前記複数のデジタルディスプレイデバイスの概要に前記デジタルコンテンツアイテムの相対マッピングを調節可能である、請求項１に記載のシステム。
【請求項１１】
前記同期表示は、解像度又はカラーパレットに基づいて前記複数のデジタルディスプレイデバイスに亘って調和させる、請求項１に記載のシステム。
【請求項１２】
前記デジタルコンテンツアイテムは、静止画、ビデオクリップ、グラフィックアニメーション又はアプリケーションである、請求項１に記載のシステム。
【請求項１３】
前記ユーザデバイスは、スマートホン、タブレット又はモバイルコンピューティングデバイスである、請求項１に記載のシステム。
【請求項１４】
複数のデジタルディスプレイデバイスに亘りデジタルコンテンツアイテムを表示する、編成された前記複数のデジタルディスプレイデバイスのための方法であって、
前記複数のデジタルディスプレイデバイス、ユーザデバイス及びクラウドベースのコンピューティングシステムを通じて、前記複数のデジタルディスプレイデバイスの各デジタルディスプレイデバイスの相対ジオメトリ及び相対位置を決定し、
前記ユーザデバイスが、前記デジタルコンテンツアイテムを選択し
前記複数のデジタルディスプレイデバイスが前記デジタルコンテンツアイテムを表すデータを受信し、
前記複数のデジタルディスプレイデバイスの表示画面が、前記デジタルコンテンツアイテムを表す同期表示を表示し、
前記複数のデジタルディスプレイデバイスは、前記表示画面、メモリ、プロセッサ及びデータリンク機能を備え、
前記ユーザデバイスは、表示画面、ユーザインタフェース、メモリ、プロセッサ及びデータリンク機能を備え、
前記クラウドベースのコンピューティングシステムは、前記複数のデジタルディスプレイデバイス及び前記ユーザデバイスと接続し、
前記デジタルコンテンツアイテムを表す前記同期表示は、前記デジタルコンテンツアイテムの連続表示の形態で前記複数のデジタルディスプレイデバイスに亘ってレンダリングされた前記デジタルコンテンツアイテムの表示であり、前記複数のデジタルディスプレイデバイス間の空間を構成し、デジタルディスプレイデバイスが位置している場所の前記デジタルコンテンツアイテムの前記連続表示の部分のみを表示する、
方法。
【請求項１５】
前記デジタルディスプレイデバイス又は前記ユーザデバイスの前記データリンク機能は、Wi-Fi機能又は有線イーサネット機能である、請求項１４に記載の方法。
【請求項１６】
前記デジタルディスプレイデバイスの前記表示画面は、LCDスクリーン、LEDスクリーン、OLEDスクリーン、QLEDスクリーン又はデジタルインクスクリーンである、請求項１４に記載の方法。
【請求項１７】
前記ユーザインタフェースは、前記クラウドベースのコンピューティングシステム又は各デジタルディスプレイデバイスと接続し、前記複数のデジタルディスプレイデバイスの各デジタルディスプレイデバイスにキャリブレーションパターンを表示する、請求項１４に記載の方法。
【請求項１８】
各デジタルディスプレイデバイスの前記相対位置、空間ギャップ距離又は向きは、前記キャリブレーションパターンを介して決定される、請求項１７に記載の方法。
【請求項１９】
前記ユーザデバイスはさらに、カメラを備え、前記カメラは、前記複数のデジタルディスプレイデバイスの各デジタルディスプレイデバイスの１以上の画像を撮影し、前記クラウドベースのコンピューティングシステムに前記１以上の画像を送信する、請求項１４に記載の方法。
【請求項２０】
前記クラウドベースのコンピューティングシステムは、前記複数のデジタルディスプレイデバイスの各デジタルディスプレイデバイスの前記１以上の画像に基づいて、前記複数のデジタルディスプレイデバイスの各デジタルディスプレイデバイスの識別、境界及び向きを決定する、請求項１９に記載の方法。
【請求項２１】
前記デジタルコンテンツアイテムを表す前記データは、前記デジタルコンテンツアイテムの分割された部分のセットであり、前記クラウドベースのコンピューティングシステムは、関連するデジタルディスプレイデバイスのそれぞれの分割された部分を送信する、請求項１４に記載の方法。
【請求項２２】
前記デジタルコンテンツアイテムを表す前記データは、前記デジタルコンテンツアイテムの分割されていない部分であり、各デジタルディスプレイデバイスの前記プロセッサは、前記関連するデジタルディスプレイデバイス上に表示される前記デジタルコンテンツアイテムの前記連続表示の前記部分に前記デジタルコンテンツアイテムの前記分割されていない部分をクロッピングする、請求項１４に記載の方法。
【請求項２３】
前記ユーザインタフェースが、実時間で前記複数のデジタルディスプレイデバイスの概要に前記デジタルコンテンツアイテムの相対マッピングを調節する、請求項１４に記載の方法。
【請求項２４】
前記同期表示は、解像度又はカラーパレットに基づいて前記複数のデジタルディスプレイデバイスに亘って調和させる、請求項１４に記載の方法。
【請求項２５】
前記デジタルコンテンツアイテムは、静止画、ビデオクリップ、グラフィックアニメーション又はアプリケーションである、請求項１４に記載の方法。
【請求項２６】
前記ユーザデバイスは、スマートホン、タブレット又はモバイルコンピューティングデバイスである、請求項１４に記載の方法。
【発明の詳細な説明】
【技術分野】
【０００１】
関連出願の相互参照
本出願は、２０１６年１１月２３日に出願された米国仮特許出願第６２／４２５，９４０号の優先権を主張し、その開示は、全体が参照により本明細書に組み込まれる。
【０００２】
本発明は、複数のデジタルディスプレイに亘り１つのデジタルコンテンツアイテムを表示する複数のデジタルディスプレイを編成するためのシステムに関する。
【背景技術】
【０００３】
時には、１つのデジタルコンテンツアイテムを大きなフォーマとで表示することが望ましい。LCDスクリーン又はプロジェクタスクリーン等の大型ディスプレイに関連する費用及び複雑さを回避するために、ユーザはいくつかのより小さなデジタルディスプレイに亘ってアイテムを表示することを選び、各ディスプレイは、１つのまとまりある画像の外観を伝えながらコンテンツアイテムの異なる部分を示す。代わりに、ユーザは、スタイリスト効果のために複数のディスプレイに亘ってアイテムを表示することを選んでもよい。
【発明の概要】
【発明が解決しようとする課題】
【０００４】
単一コンテンツアイテムを表示する複数ディスプレイを同期させ編成するために現在市場に出回っているシステムは、複雑かつ高価である。そのようなシステムは一般的に、有線ビデオ接続により各ディスプレイに直接接続されている高価なビデオプロセッサを含む。本発明は、クラウドシステムに接続されたユーザアプリケーションを使用して１つのまとまりある画像を表示するために迅速かつ容易に編成することができ、各ディスプレイへの専用ビデオ接続を使用せずに達成できる無線接続デジタルディスプレイシステムを提供する。
【課題を解決するための手段】
【０００５】
概して、一態様では、本発明は、複数のデジタルディスプレイデバイスに亘りデジタルコンテンツアイテムを表示する、編成された前記複数のデジタルディスプレイデバイスのためのシステムであって、表示画面、メモリ、プロセッサ及びデータリンク機能をそれぞれが備える、複数のデジタルディスプレイデバイスと、表示画面、ユーザインタフェース、メモリ、プロセッサ及びデータリンク機能を備える、ユーザデバイスと、前記複数のデジタルディスプレイデバイス及び前記ユーザデバイスと接続される、クラウドベースのコンピューティングシステムと、を備え、１以上の前記複数のデジタルディスプレイデバイス、前記ユーザデバイス及び前記クラウドベースのコンピューティングシステムは、前記複数のデジタルディスプレイデバイスの各デジタルディスプレイデバイスの相対ジオメトリ及び相対位置を決定し、ユーザにより前記ユーザデバイスにおける前記デジタルコンテンツアイテムの選択において、前記複数のデジタルディスプレイデバイスは、デジタルコンテンツアイテムを表すデータを受信し、前記複数のデジタルディスプレイデバイスの前記表示画面に前記デジタルコンテンツアイテムを表す同期表示を表示し、前記デジタルコンテンツアイテムを表す前記同期表示は、前記デジタルコンテンツアイテムの連続表示の形態で前記複数のデジタルディスプレイデバイスに亘ってレンダリングされた前記デジタルコンテンツアイテムの表示であり、前記複数のデジタルディスプレイデバイス間の空間を構成し、デジタルディスプレイデバイスが位置している場所の前記デジタルコンテンツアイテムの前記連続表示の部分のみを表示する、システムであることを特徴とする。
【０００６】
本発明の実装は、以下の特徴のうち１以上を含んでいてもよい。前記デジタルディスプレイデバイス又は前記ユーザデバイスの前記データリンク機能は、Wi-Fi機能又は有線イーサネット機能であってもよい。前記デジタルディスプレイデバイスの前記表示画面は、LCDスクリーン、LEDスクリーン、OLEDスクリーン、QLEDスクリーン又はデジタルインクスクリーンであってもよい。前記ユーザインタフェースは、前記クラウドベースのコンピューティングシステム又は各デジタルディスプレイデバイスと接続してもよく、前記複数のデジタルディスプレイデバイスの各デジタルディスプレイデバイスにキャリブレーションパターンを表示してもよい。各デジタルディスプレイデバイスの前記相対位置、空間ギャップ距離又は向きは、前記キャリブレーションパターンを介して決定されてもよい。前記ユーザデバイスはさらに、カメラを備えてもよく、前記カメラは、前記複数のデジタルディスプレイデバイスの各デジタルディスプレイデバイスの１以上の画像を撮影してもよく、前記クラウドベースのコンピューティングシステムに前記１以上の画像を送信してもよい。前記クラウドベースのコンピューティングシステムは、前記複数のデジタルディスプレイデバイスの各デジタルディスプレイデバイスの前記１以上の画像に基づいて、前記複数のデジタルディスプレイデバイスの各デジタルディスプレイデバイスの識別、境界及び向きを決定してもよい。前記デジタルコンテンツアイテムを表す前記データは、前記デジタルコンテンツアイテムの分割された部分のセットであってもよく、前記クラウドベースのコンピューティングシステムは、関連するデジタルディスプレイデバイスのそれぞれの分割された部分を送信してもよい。前記デジタルコンテンツアイテムを表す前記データは、前記デジタルコンテンツアイテムの分割されていない部分であってもよく、各デジタルディスプレイデバイスの前記プロセッサは、前記関連するデジタルディスプレイデバイス上に表示される前記デジタルコンテンツアイテムの前記連続表示の前記部分に前記デジタルコンテンツアイテムの前記分割されていない部分をクロッピングしてもよい。前記ユーザインタフェースを介して、実時間で前記複数のデジタルディスプレイデバイスの概要に前記デジタルコンテンツアイテムの相対マッピングを調節可能であってもよい。前記同期表示は、解像度又はカラーパレットに基づいて前記複数のデジタルディスプレイデバイスに亘って調和させてもよい。前記デジタルコンテンツアイテムは、静止画、ビデオクリップ、グラフィックアニメーション又はアプリケーションであってもよい。前記ユーザデバイスは、スマートホン、タブレット又はモバイルコンピューティングデバイスであってもよい。
【０００７】
概して、別の態様では、複数のデジタルディスプレイデバイスに亘りデジタルコンテンツアイテムを表示する、編成された前記複数のデジタルディスプレイデバイスのための方法であって、前記複数のデジタルディスプレイデバイス、ユーザデバイス及びクラウドベースのコンピューティングシステムを通じて、前記複数のデジタルディスプレイデバイスの各デジタルディスプレイデバイスの相対ジオメトリ及び相対位置を決定し、前記ユーザデバイスが、前記デジタルコンテンツアイテムを選択し、前記複数のデジタルディスプレイデバイスが前記デジタルコンテンツアイテムを表すデータを受信し、前記複数のデジタルディスプレイデバイスの表示画面が、前記デジタルコンテンツアイテムを表す同期表示を表示し、前記複数のデジタルディスプレイデバイスは、前記表示画面、メモリ、プロセッサ及びデータリンク機能を備え、前記ユーザデバイスは、表示画面、ユーザインタフェース、メモリ、プロセッサ及びデータリンク機能を備え、前記クラウドベースのコンピューティングシステムは、前記複数のデジタルディスプレイデバイス及び前記ユーザデバイスと接続し、前記デジタルコンテンツアイテムを表す前記同期表示は、前記デジタルコンテンツアイテムの連続表示の形態で前記複数のデジタルディスプレイデバイスに亘ってレンダリングされた前記デジタルコンテンツアイテムの表示であり、前記複数のデジタルディスプレイデバイス間の空間を構成し、デジタルディスプレイデバイスが位置している場所の前記デジタルコンテンツアイテムの前記連続表示の部分のみを表示する、方法であることを特徴とする。
【０００８】
本発明の実装は、以下の特徴のうち１以上を含んでいてもよい。前記デジタルディスプレイデバイス又は前記ユーザデバイスの前記データリンク機能は、Wi-Fi機能又は有線イーサネット機能であってもよい。前記デジタルディスプレイデバイスの前記表示画面は、LCDスクリーン、LEDスクリーン、OLEDスクリーン、QLEDスクリーン又はデジタルインクスクリーンであってもよい。前記ユーザインタフェースは、前記クラウドベースのコンピューティングシステム又は各デジタルディスプレイデバイスと接続してもよく、前記複数のデジタルディスプレイデバイスの各デジタルディスプレイデバイスにキャリブレーションパターンを表示してもよい。各デジタルディスプレイデバイスの前記相対位置、空間ギャップ距離又は向きは、前記キャリブレーションパターンを介して決定されてもよい。前記ユーザデバイスはさらに、カメラを備えてもよく、前記カメラは、前記複数のデジタルディスプレイデバイスの各デジタルディスプレイデバイスの１以上の画像を撮影してもよく、前記クラウドベースのコンピューティングシステムに前記１以上の画像を送信してもよい。前記クラウドベースのコンピューティングシステムは、前記複数のデジタルディスプレイデバイスの各デジタルディスプレイデバイスの前記１以上の画像に基づいて、前記複数のデジタルディスプレイデバイスの各デジタルディスプレイデバイスの識別、境界及び向きを決定してもよい。前記デジタルコンテンツアイテムを表す前記データは、前記デジタルコンテンツアイテムの分割された部分のセットであってもよく、前記クラウドベースのコンピューティングシステムは、関連するデジタルディスプレイデバイスのそれぞれの分割された部分を送信してもよい。前記デジタルコンテンツアイテムを表す前記データは、前記デジタルコンテンツアイテムの分割されていない部分であってもよく、各デジタルディスプレイデバイスの前記プロセッサは、前記関連するデジタルディスプレイデバイス上に表示される前記デジタルコンテンツアイテムの前記連続表示の前記部分に前記デジタルコンテンツアイテムの前記分割されていない部分をクロッピングしてもよい。方法はさらに、前記ユーザインタフェースが、実時間で前記複数のデジタルディスプレイデバイスの概要に前記デジタルコンテンツアイテムの相対マッピングを調節してもよい。前記同期表示は、解像度又はカラーパレットに基づいて前記複数のデジタルディスプレイデバイスに亘って調和させてもよい。前記デジタルコンテンツアイテムは、静止画、ビデオクリップ、グラフィックアニメーション又はアプリケーションであってもよい。前記ユーザデバイスは、スマートホン、タブレット又はモバイルコンピューティングデバイスであってもよい。
【図面の簡単な説明】
【０００９】
【図１】実際のデジタルディスプレイが配置されている場所にのみ画像が見えるデジタルコンテンツアイテムが１つの連続面に表示されているかのように、様々なデジタルディスプレイに亘ってレンダリングされたデジタルコンテンツアイテムを示す。
【図２】インターネットを介してクラウドシステムに接続したデジタルディスプレイを示す。
【図３】インターネットを介してクラウドシステムに接続したデジタルディスプレイを示す。
【図４】編成されたディスプレイグループとして参照される、編成されたデジタルディスプレイの一群を示す。
【図５】編成されたディスプレイグループにおけるディスプレイ上で可能な較正パターンの一例を示す。
【図６】デジタルディスプレイの編成の概要を示す。
【図７】例示的なデジタルコンテンツアイテムを示す。
【図８】図６に示す様々なディスプレイに亘って配置される図７に見られるデジタルコンテンツアイテムの特定の部分を示す。
【図９】ネットワークを通じて情報を受信する複数のデジタルディスプレイの各デジタルディスプレイを示す。
【発明を実施するための形態】
【００１０】
本発明は、ディスプレイに亘ってデジタルメディアコンテンツのレンダリング及び再生を調整し同期させることによって、ユーザが１つのデジタルコンテンツアイテムを複数のデジタルディスプレイ上、ここでは編成されたディスプレイと呼ぶ、に表示することを可能とする。編成されたディスプレイは、調整され同期された手段により制御されたディスプレイの組み合わせとして参照される。コンテンツアイテムは、静止画、ビデオクリップ、グラフィックアニメーション、又は、アプリケーション（「アプリ」）であってもよい。デジタルディスプレイは、同一のサイズ、隣接されたもの、又は、整列されたものである必要はない。それらは、異なる方向を向いていてもよいし、デジタルディスプレイ間で空間的なギャップを有していてもよい。後者の場合、デジタルコンテンツアイテムは、図１に見られるように、実際のデジタルディスプレイが配置されている場所にのみ画像が見えるようにデジタルコンテンツアイテムが１つの連続面に表示されたかのように、様々なデジタルディスプレイに亘ってレンダリングされる。
【００１１】
編成されたディスプレイは、好ましくは、Wi-Fi、（有線）イーサネット（登録商標）、又は、他の種類のデータリンクによってインターネット対応であり、すなわち、LCD、LED、OLED、QLED又はデジタルインクスクリーン、メモリ及びプロセッサによる。図２及び図３に示すように、各デジタルディスプレイは、編成されたディスプレイのセットとして使用され得る前には、インターネットを介してクラウドシステムに接続する。この場合、編成されたディスプレイとの他の接続は、要求されない。
【００１２】
デジタルディスプレイの事前の接続は、各ディスプレイで実行されているソフトウェアがクラウドシステムと通信していることを確認することを可能とする。ディスプレイ登録処理中に、各デジタルディスプレイは、シリアル番号又はMACアドレス等の一意的な識別子、及び、ディスプレイのアクティブ領域の高さと幅及び画素解像度を少なくとも含むディスプレイの属性が記憶される。
【００１３】
本発明は、２つの段階、すなわち、ディスプレイマッピング、並びに、コンテンツ準備及びレンダリングにより実行される。ディスプレイマッピングの目的は、各編成されたディスプレイの特定のサイズ、相対位置及び方向を定義し、各画像のどの部分を各デジタルディスプレイに表示するかを決定することにある。図４に示すように、ディスプレイマッピング段階を開始するために、クラウドシステムは、ユーザデバイス上のインタフェースを介してユーザと通信して編成されたグループを生成し、登録済みのデジタルディスプレイをそのグループに割り当てる。各デジタルディスプレイの属性を決定するために、クラウドシステム又は各デジタルディスプレイと通信するユーザインタフェースは、編成されたディスプレイグループの一部である各ディスプレイにキャリブレーションパターンを表示する。キャリブレーションパターンは、各デジタルディスプレイに固有であり、固有の識別子を有するグラフィックイメージを含む。グラフィックイメージは、アクティブなデジタルディスプレイを塗りつぶし、ディスプレイの基準点を提供する。固有の視覚的識別子は、単純な数からパターン及び符号化された情報を埋め込んだ複雑な画像までの範囲であり得る。例示的な較正は、図５に示される。
【００１４】
望ましい実施形態において、プロセッサ及びカメラを有するスマートホン等のユーザデバイスがクラウドシステムに接続され、デジタルディスプレイのグループの画像を撮る、すなわち、編成されたグループ、それらの相対ジオメトリ、位置、及び、他の属性を撮影するために使用される。スマートホンからの画像は、クラウドシステムにアップロードされ、そこで、各デジタルディスプレイデバイスの識別、境界、及び、方向を決定するために解析される。他の計測は、要求されなくてもよい。各デジタルディスプレイの各ディスプレイ属性は、画像から抽出された情報と比較され、任意の基準システムにおける様々なディスプレイの表面の正確な相対ジオメトリを決定する。これらの属性は、編成された属性と呼ばれる。各デジタルディスプレイの方向は、図５に示されるように、ディスプレイに組み込まれた方向センサを使用し、又は、上述したキャリブレーションパターンの相対方向を解析することにより決定されてもよい。
【００１５】
コンテンツ準備及びレンダリングの段階は、図７に見られるように、表示されるべき画像等のデジタルコンテンツをユーザが選択することから始まる。クラウドシステムに接続されたモバイルデバイス又は任意のコンピューティングユーザデバイスに配置されるユーザインタフェースは、ユーザがデジタルコンテンツアイテムを選択し、それを実時間又は後の時間に表示される編成されたディスプレイグループに割り当てることを可能とする。ユーザインタフェースは、編成されたグループの概要をデジタルコンテンツアイテム上にオーバーレイとして表示してもよく、ユーザがデジタルコンテンツアイテムをパン及び／又は拡大して様々な編成されたディスプレイ個別にフィットさせる決定することを可能としてもよい。デジタルコンテンツアイテムに対する相対的な変更は、編成されたディスプレイ上に実時間で反映されてもよいし、反映されなくてもよい。一実施形態では、クラウドシステム内に格納された編成された属性は、デジタルコンテンツアイテムを前処理するのに使用され、編成されたディスプレイグループの一部の各デジタルディスプレイに対して別のファイルを作成し、この別のファイルは、固有のディスプレイにおいて表示されるコンテンツアイテムの固有の一部を組み込んでいる。各ファイルの固有のコンテンツは、それらのそれぞれのサイズ、相対距離、向き、及び、解像度、並びに、カラーパレット等の他の属性を考慮して、全ての編成されたディスプレイに亘ってデジタルコンテンツアイテムの表示を調和させるために決定される。デジタルコンテンツアイテムの固有の部分は、図８に示される。ビデオ、アニメーション、又は、アプリメディアの場合に、厳密な再生同期を保証するために、各ファイルに時間同期情報がまた追加されてもよい。ファイルは、有線、Wi-Fi、又は、その他のデータリンク接続を介して編成されたディスプレイにダウンロードされ、各ディスプレイに格納される。編成されたコンテンツを再生するコマンドを受信すると、各編成されたディスプレイは、編成されたディスプレイグループの一部である他のデジタルディスプレイと同期して、それぞれのメディアファイルの再生を開始する。同期は、ネットワーク上で実時間に配信される正確なタイミング情報を使用して保証される。図９に示すように、各デジタルディスプレイは、ネットワークを介してこのタイミング情報を受信し、画像再生フレームを正確に同期させる。
【００１６】
別の実施形態では、編成された属性は、各ディスプレイにダウンロードされ、編成されたディスプレイグループ内の相対位置及び向きをディスプレイに「認識」させる。時間同期情報は、ダウンロードされる前にデジタルコンテンツアイテムに追加され、編成されたディスプレイブルー婦の一部である全てのデジタルディスプレイに格納され、すなわち、完全なデジタルコンテンツアイテムを含む同じファイルが、各ディスプレイにダウンロードされる。各デジタルディスプレイに埋め込まれたプロセッサは、その属性を使用して、コンテンツアイテムをディスプレイの大きさ及び位置にクロッピングし、デジタルディスプレイの向きに合わせて回転させ、ディスプレイ解像度、カラーパレット及び他の関連する視覚的属性に調和するようにデジタルコンテンツアイテムを調整し、その固有のディスプレイに表示されるデジタルコンテンツアイテムの部分を抽出する。時間同期は、その処理中には維持される。デジタルコンテンツアイテムのクロッピング及び回転は、再生中に実時間で、又は、元のコンテンツファイルを受信した時に行われ、この場合、コンテンツアイテムの抽出された部分は、必要に応じて同期再生に使用するためにローカルに格納される。再生中において、同期は、ネットワークを介して実時間に配信される正確なタイミング情報を用いて保証される。各デジタルディスプレイは、ネットワークを介してこのタイミング情報を受信し、画像再生フレームを正確に同期させる。
【００１７】
当業者であれば、本発明の範囲から逸脱することなく、様々な変更を加えることができ、均等物を要素に置き換えることができることを理解されたい。さらに、本発明の範囲から逸脱することなく、特定の特徴又は材料を本発明の教示に適合させるために多くの修正を加えることができる。したがって、本発明は、開示された特定の実施形態に限定されず、本発明は、特許請求の範囲内に含まれる全ての実施形態を含むことが意図されている。
【図１】
2020500380.tif 000003
【図２】
2020500380.tif 000004
【図３】
2020500380.tif 000005
【図４】
2020500380.tif 000006
【図５】
2020500380.tif 000007
【図６】
2020500380.tif 000008
【図７】
2020500380.tif 000009
【図８】
2020500380.tif 000010
【図９】
2020500380.tif 000011
【国際調査報告】
2020500380.tif 000012